(57)【要約】      （修正有）【課題】現像剤を収納した容器を用いた組み立て工程において、変形可能な現像剤収納部材を現像剤容器に組み付ける場合、現像剤収納部材が変形し、開口を閉じるトナーシールの固着面も大きく変形させてしまい、開口を開封させてしまったり、現像剤収納部材を変形させてしまい、開口を開封させてしまう恐れがあるのでこれを防止することができる現像剤収納ユニットを提供する。【解決手段】現像剤を排出するための開口３５ａを備えた可撓性容器２６と、前記可撓性容器を収納する枠体とを備えた現像剤収納ユニットで、前記可撓性容器２６は封止部材１９と接合して開口を封止するための接合部２２を有し、接合部２２は開口から離れる方向に延伸している突起部２２ｇを有する。【選択図】図８
2015108683.tif 000002
【特許請求の範囲】
【請求項１】
現像剤を収納する現像剤収納ユニットであって、
現像剤を排出するための開口を備えた可撓性容器と、
前記開口を封止する封止部材と、
前記可撓性容器を収納する枠体と、を備え、
前記可撓性容器は、前記封止部材と接合して開口を封止するための接合部を有し、
前記接合部は、前記接合部が形成されている前記可撓性容器の面で、前記開口から離れる方向に延伸している突起部を有することを特徴とする現像剤収納ユニット。
【請求項２】
前記接合部は、少なくとも一部に角部を有し、
前記角部の位置から、前記突起部が形成されていることを特徴とする請求項１に記載の現像剤収納ユニット。
【請求項３】
前記接合部は、前記開口の露出の進む開封方向に封止した開封方向の接合部と、前記開封方向に対して垂直方向に封止した垂直方向の接合部を有し、
前記突起部は、前記開封方向の接合部と前記垂直方向の接合部との境界領域から形成されていることを特徴とする請求項１又は２に記載の現像剤収納ユニット。
【請求項４】
前記垂直方向の接合部は、前記開封方向に対して上流側に設けられた第一の垂直方向の接合部と下流側に設けられた第二の垂直方向の接合部と、を有し、
前記突起部は、前記開封方向の接合部と前記第一の垂直方向の接合部との境界領域から前記開封方向の上流側に向かって、延伸していることを特徴とする請求項３に記載の現像剤収納ユニット。
【請求項５】
前記突起部は、前記境界領域から前記開封方向と前記垂直方向とは異なる方向に向かって延伸していることを特徴とする請求項３に記載の現像剤収納ユニット。
【請求項６】
前記可撓性容器は、前記可撓性容器に現像剤を充填した後に、充填開口を封止した開口封止部を有し、
前記突起部は、前記開口と前記開口封止部の間に設けられていることを特徴とする請求項１から５のいずれか１項に記載の現像剤収納ユニット。
【請求項７】
現像剤を収納する現像剤収納ユニットであって、
現像剤を排出するための開口を備えた可撓性容器と、
前記開口を封止する封止部材と、
前記可撓性容器を収納する枠体と、を備え、
前記可撓性容器は、前記封止部材と接合して開口を封止するための接合部を有し、かつ
前記接合部は、前記開口を封止する中央接合部と、前記接合部が形成されている前記可撓性容器の面で前記中央接合部と離れた位置に孤立接合部を有することを特徴とする現像剤収納ユニット。
【請求項８】
前記孤立接合部は、複数設けられていることを特徴とする請求項７に記載の現像剤収納ユニット。
【請求項９】
前記中央接合部は、少なくとも一部に角部を有し、
前記孤立接合部は、前記中央接合部の中で前記角部からの距離が一番短い位置に設けられていることを特徴とする請求項８に記載の現像剤収納ユニット。
【請求項１０】
前記孤立接合部は、前記中央接合部の外側に形成されていることを特徴する請求項７から９のいずれか１項に記載の現像剤収納ユニット。
【請求項１１】
前記中央接合部は、前記開口の露出の進む開封方向に封止した開封方向の接合部と、前記開封方向に対して垂直方向に封止した垂直方向の接合部と、を有し、
前記孤立接合部は、前記接合部の中で、前記開封方向または前記垂直方向において最端に位置することを特徴とする請求項７から１０のいずれか１項に記載の現像剤収納ユニット。
【請求項１２】
前記可撓性容器は、前記可撓性容器に現像剤を充填した後に、充填開口を封止した開口封止部を有し、
前記孤立接合部は、前記中央接合部と前記開口封止部との間に設けられていることを特徴とする請求項７から１１のいずれか１項に記載の現像剤収納ユニット。
【請求項１３】
請求項１から１２のいずれか１項の現像剤収納ユニットと、
現像剤像を担持する像担持体と、を有するプロセスカートリッジ。
【請求項１４】
請求項１から１２のいずれか１項の現像剤収納ユニットを有し、シートに画像を形成することを特徴とする画像形成装置。
【請求項１５】
現像剤を排出するための開口を備えた容器と、
前記開口を封止する封止部材と、
前記容器を収納する枠体と、を備え、
前記容器は、前記封止部材と接合して開口を封止するための接合部を有し、かつ
前記接合部は、前記開口を封止する中央接合部と、前記接合部が形成されている前記容器の面で、前記中央接合部と離れた位置に孤立接合部を有することを特徴とする現像剤容器。
【請求項１６】
現像剤を排出するための開口を備えた容器と、
前記開口を封止する封止部材と、を備え、
前記容器は、前記封止部材と接合して開口を封止するための接合部を有し、
前記接合部は、長辺部と短辺部とを有し、かつ前記接合部が形成されている前記容器の面で、開口から離れる方向に延伸している突起部を有し、
前記突起部は、前記長辺部と短辺部との境界領域から短辺方向の延長上に延伸していることを特徴とする現像剤容器。
【請求項１７】
現像剤を排出するための開口を備えた容器と、
前記開口を封止する封止部材と、を備え、
前記容器は、前記封止部材と接合して開口を封止するための接合部を有し、
前記接合部は、長辺部と短辺部とを有し、かつ前記接合部が形成されている前記容器の面で、開口から離れる方向に延伸している突起部を有し、
前記突起部は、前記長辺部と短辺部との境界領域から短辺方向と長辺方向とは異なる方向に延伸していることを特徴とする現像剤容器。
【請求項１８】
現像剤を排出するための開口を備えた容器が可撓性容器であることを特徴とする請求項１５から１７のいずれか１項に記載の現像剤容器。
【発明の詳細な説明】
【技術分野】
【０００１】
本発明は、画像形成装置、および画像形成装置に使用される現像剤容器、現像剤収納ユニット、プロセスカートリッジに関するものである。
【０００２】
ここで画像形成装置とは、例えば、電子写真画像形成プロセスを用いて記録媒体に画像を形成するもので、電子写真複写機、電子写真プリンター（例えば、ＬＥＤプリンター、レーザービームプリンタ）、電子写真ファクシミリ装置が含まれる。
【０００３】
また、プロセスカートリッジとは、少なくとも像担持体と、それに作用するプロセス手段を有し、画像形成装置本体に着脱可能にしたものをいう。
【０００４】
また、現像剤容器および現像剤収納ユニットは、画像形成装置またはカートリッジに収納または着脱可能なものである。
【背景技術】
【０００５】
従来の電子写真形成プロセスを用いた電子写真画像形成装置には、電子写真感光体及びそれに作用するプロセス手段を一体的にカートリッジ化して、このカートリッジを電子写真画像形成装置本体に着脱可能とするプロセスカートリッジ方式が採用されている。
【０００６】
このようなプロセスカートリッジでは、図２３で示す様に現像剤（トナー、キャリア等）を収納する現像剤収納枠体３１に設けた開口を封止部材で封止している。そして、使用時に封止部材であるトナーシール３２の接合部３３を引き剥がすことで開口を開封する方式が広く採用されている。
【０００７】
またプロセスカートリッジ製造時に現像剤の充填工程でプロセスカートリッジの機内に現像剤が飛散することに対して変形可能な内部容器を用いたものが考案されている（特許文献１、特許文献２）。
【先行技術文献】
【特許文献】
【０００８】
【特許文献１】特開平４−６６９８０号公報
【特許文献２】特開２０１３−０３７３４５号公報
【発明の概要】
【発明が解決しようとする課題】
【０００９】
ここで、特許文献１には、現像剤の供給の操作性向上、プロセスカートリッジ機内への現像剤飛散防止による現像剤供給装置のコストダウンを目的として、変形可能な現像剤収納部材に現像剤を収納する方法が記載されている。
【００１０】
しかし、特許文献１記載の変形可能な現像剤収納部材を現像剤容器に組み付ける場合、現像剤収納部材が変形し、開口を閉じるトナーシールの固着面も大きく変形させてしまい、開口を開封させてしまう恐れがある。また、変形可能な現像剤収納部材に現像剤を充填する等の組み立て時の負荷によって、現像剤収納部材を変形させてしまい、開口を開封させてしまう恐れがある。
【００１１】
そこで本発明の目的は、現像剤を収納するための可撓性容器を用いた現像剤収納ユニット等において、製造時等における可撓性容器の変形による封止部材の誤開封防止特性を向上させることを目的とする。
【課題を解決するための手段】
【００１２】
上記目的を達成するため、本出願に係る発明の構成の一つは以下のようなものである。
【００１３】
現像剤を収納する現像剤収納ユニットであって、現像剤を排出するための開口を備えた可撓性容器と、前記開口を封止する封止部材と、前記可撓性容器を収納する枠体と、を備え、前記可撓性容器は、封止部材と接合して開口を封止するための接合部を有し、前記接合部は、接合部が形成され前記可撓性容器の面で、開口から離れる方向に延伸している突起部を有する現像剤収納ユニットを提供するものである。
【００１４】
また、現像剤収納容器、プロセスカートリッジ、画像形成装置を提供するものである。
【発明の効果】
【００１５】
以上説明したように、本発明によれば、現像剤を収納するための可撓性容器を用いる現像剤収納ユニット等において、製造時等における可撓性容器の変形による封止部材の開封防止特性を向上させることができる。
【図面の簡単な説明】
【００１６】
【図１】本発明の実施の形態におけるプロセスカートリッジの断面図である。
【図２】本発明の実施の形態における画像形成装置の断面図である。
【図３】本発明の実施の形態における開封部材を有した現像剤収納容器の断面からの斜視図である。
【図４】本発明の実施の形態における現像剤収納ユニットの開封前の断面図である。
【図５】本発明の実施の形態における排出部の開封過程の説明断面図である。
【図６】本発明の実施の形態における現像剤収納容器の説明図である。
【図７】本発明の実施の形態における現像剤収納容器の断面図である。
【図８】本発明の実施の形態における現像剤収納容器の開封前の説明図である。
【図９】本発明の実施の形態における現像剤収納容器の固定部の説明図である。
【図１０】本発明の実施の形態における排出部の説明断面図である。
【図１１】本発明の実施の形態における排出部の開封過程の説明断面図である。
【図１２】本発明の実施の形態における現像剤収納ユニットの開封直前の断面図である。
【図１３】本発明の実施の形態における現像剤収納ユニットの開封途中の断面図である。
【図１４】本発明の実施の形態における現像剤収納ユニットの開封後の断面図である。
【図１５】本発明の実施の形態における現像剤収納ユニットの断面図である。
【図１６】本発明の実施の形態における現像剤収納ユニットの断面図である。
【図１７】本発明の実施の形態における現像剤収納容器の説明図である。
【図１８】本発明の実施の形態ではない現像剤収納容器の説明図である。
【図１９】本発明の実施例２の形態における現像剤収納容器の開封前の説明図である。
【図２０】本発明の実施の形態における現像剤収納容器の開封前の説明図である。
【図２１】本発明の実施例３の形態における現像剤収納容器の開封前の説明図である。
【図２２】本発明の実施の形態における現像剤収納容器の接合部の説明図である。
【図２３】従来例を説明する図である。
【発明を実施するための形態】
【００１７】
以下の説明で、現像剤収納容器は、少なくとも、可撓性容器と可撓性容器に設けられた現像剤を排出するための開口を封止する封止部材を備えるものをいう。
【００１８】
現像剤を収納する前の現像剤収納容器を、現像剤を収納する為の現像剤収納容器３７とする。現像剤を収納し封止部材を開封するための開封部材を備えた現像剤収納容器を、開封部材を有した現像剤収納容器３０とする。現像剤を収納し、封止部材を開封するための開封部材を備えていない現像剤収納容器を、現像剤を収納した現像剤収納容器２６とする。
【００１９】
なお、簡略化のため、現像剤収納容器３７、現像剤収納容器３０、現像剤収納容器２６と符号を分けて説明をする。
【００２０】
現像剤収納ユニットは、少なくとも現像剤収納容器と現像剤収納容器を収納する枠体を備えるものである。
【実施例１】
【００２１】
図１に本発明を適用できる現像剤収納ユニットを有するプロセスカートリッジの断面図である。図２に本発明を適用できる画像形成装置の断面図を図示する。
【００２２】
＜プロセスカートリッジの構成概要＞
プロセスカートリッジは、像担持体と、像担持体に作用するプロセス手段を備えたものである。ここでプロセス手段としては、例えば像担持体の表面を帯電させる帯電手段、像担持体に像を形成する現像装置、像担持体表面に残留した現像剤（トナー、キャリア等を含む）を除去するためのクリーニング手段がある。
【００２３】
本実施形態のプロセスカートリッジＡは、図１に示すように像担持体である感光体ドラム１１の周囲に帯電手段である帯電ローラ１２、そしてクリーニング手段として弾性を有するクリーニングブレード１４を有するクリーナーユニット２４を備えている。また、プロセスカートリッジＡは、第一の枠体１７と、第二の枠体１８を有する現像装置３８を備えている。プロセスカートリッジＡは、クリーナーユニット２４と現像装置３８とを一体とし、図２に示すように画像形成装置本体Ｂに対して、着脱可能に構成されている。現像装置３８は、現像手段である現像ローラ１３と現像ブレード１５、現像剤供給ローラ２３、現像剤を収納した現像剤収納容器２６を備える。現像ローラ１３と、現像ブレード１５は、第一の枠体１７に支持されている。
【００２４】
＜画像形成装置の構成概要＞
このプロセスカートリッジＡは図２に示すような画像形成装置本体Ｂに装着されて画像形成に用いられる。画像形成は装置下部に装着されたシートカセット６から搬送ローラ７によってシートＳを搬送し、このシート搬送と同期して、感光体ドラム１１に露光装置８から選択的な露光をして潜像を形成する。現像剤は、スポンジ状の現像剤供給ローラ２３によって現像ローラ１３（現像剤担持体）に供給され、現像ブレード１５により現像ローラ１３表面に現像剤の薄層が形成される。現像ローラ１３に現像バイアスを印加する事によって、潜像に応じて現像剤を供給し現像剤像に現像する。この像を転写ローラ９へのバイアス電圧印加によって搬送されるシートＳに転写する。シートＳは定着装置１０へ搬送され画像定着し、排紙ローラ１によって装置上部の排紙部３に排出される。
【００２５】
＜現像剤収納ユニットの構成概要＞
次に現像剤収納ユニット２５の構成について図３、図４、図５、図６を用いて述べる。
【００２６】
図３は、開封部材を有した現像剤収納容器３０の断面からの斜視図である。図４は、現像装置３８の断面図である。図５は、可撓性容器である現像剤収納容器２６の現像剤を排出する排出部３５近傍の詳細断面図である。図６は、現像剤収納容器３７に現像剤を充填する前後の関係を説明する説明図である。なお、断面図は、開封部材２０と、開口３５ａと、固定部１６ｄを通る平面である。また、断面図は、開封部材２０の回転軸に垂直な平面である。
【００２７】
（現像剤収納ユニット）
現像剤収納ユニット２５は、図４に示すように開封部材を有した現像剤収納容器３０、現像ローラ１３、現像ブレード１５と、これらを支持する第一の枠体１７と第二の枠体１８から構成される。第一の枠体と第二の枠体を合わせたものが現像剤収納容器３０を収納する枠体である。
【００２８】
なお本実施例では現像剤収納ユニット２５は現像装置３８と同じである。これは現像剤収納ユニット２５が現像ローラ１３、現像ブレード１５を有しているからである。しかし現像剤収納ユニット２５と別枠体で現像ローラ１３と現像ブレード１５を支持し、現像剤収納ユニット２５と分離してもよい。この場合、現像装置３８は現像剤収納ユニット２５と現像ローラ１３、現像ブレード１５で構成されたものとなる。
【００２９】
＜現像剤収納容器の構成概要＞
（開封部材を有した現像剤収納容器）
開封部材を有した現像剤収納容器３０は、図３、図４に示すように、開封部材２０と現像剤収納容器２６から構成される。開封部材２０は封止部材１９と係合する係合部２０ｂを有しており、現像剤収納容器２６の被係合部１９ｂと係合部２０ｂを係合することにより開封部材を有した現像剤収納容器３０となる。
【００３０】
（現像剤を収納するための現像剤収納容器）
図６（ａ）に示すように現像剤を収納するための現像剤収納容器３７は、現像剤収納部材３４と、現像剤を排出する為の複数の開口３５ａを封止するとともに移動されることによって開口３５ａを露出する封止部材１９から構成される。そして、現像剤を収納するための現像剤収納容器３７の現像剤収納部材３４は、現像剤を入れる為の注入口３９と現像剤を排出するための開口３５ａを有している。ここで現像剤を収納するための現像剤収納容器３７はまだ現像剤を充填しておらず、現像剤を入れる為の注入口３９が開口した状態である。
【００３１】
（現像剤を収納した現像剤収納容器）
図６（ｃ）に示すように現像剤収納容器２６は、現像剤と、現像剤収納部材３４である可撓性容器と、封止部材１９から構成される。ここで現像剤は粉体である。現像剤収納容器２６の現像剤収納部材３４は、現像剤を排出する複数の開口３５ａを封止部材１９で封止し、現像剤を入れる為の注入口３９を封止した接合部３９ａを有している。このように現像剤を収納した現像剤収納容器２６のそれぞれの開口３５ａ、注入口３９は封止されているため収納した現像剤を外に漏れず一つのユニットとして扱うことが可能である。また封止部材１９には開封部材２０に係合する被係合部１９ｂである穴が設けられており、開封部材２０に係合可能となっている。
【００３２】
（現像剤収納部材について）
図３、図４に示すように現像剤収納部材３４は、シート状の素材を真空成形、圧空成形、プレス成形等により形つくったものを使用したものである。現像剤収納部材３４は内部に現像剤を収納しており、可撓性を有するものであり、収納した現像剤を排出するために排出部３５に複数の開口３５ａを備えている。
【００３３】
また現像剤収納部材３４は第一の枠体１７、第二の枠体１８枠体に固定されている現像剤袋固定部（被固定部）１６ｄを有している。
【００３４】
図７は現像剤収納容器２６の断面説明図である。現像剤収納容器２６は開口３５ａを有し通気性を有さない現像剤収納部材３４ａと、通気部となる通気性を有するシート３４ｂを貼り合わせて現像剤収納容器２６は構成されている。
【００３５】
ここで通気部３４ｂの通気度は収納する現像剤の大きさ（粉体の粒径）との兼ね合いで現像剤が現像剤収納容器２６の外に漏れないものを適宜選定すれば良い。
【００３６】
また通気部３４ｂの配置は本実施例では図３、図７に示すように第二の枠体１８側に現像剤収納容器２６の長手方向全域にわたり通気部３４ｂを配している。また通気部３４ｂの素材に可撓性をもたせても良い。
【００３７】
（充填と現像剤収納容器）
ここで現像剤を収納するための現像剤収納容器３７と現像剤を収納した現像剤収納容器２６の関係について述べる。
【００３８】
まず図６（ａ）に示すように現像剤を収納するための現像剤収納容器３７には現像剤が充填されておらず現像剤を入れる為の注入口３９がある。
【００３９】
次に図６（ｂ）で示すように現像剤を収納するための現像剤収納容器３７の現像剤を入れる為の注入口３９から現像剤を充填する。また現像剤収納部材３７の可撓性により入れる為の注入口３９は充填装置に合わせて変形可能であり現像剤の飛散なく充填が容易になる。
【００４０】
充填に際しては、公知のオーガー式充填装置を使用して行うが、同様の機能を有する他の方法を用いてもかまわない。
【００４１】
次に図６（ｃ）で示すように現像剤を入れる為の注入口３９を接合し封止する。現像剤を入れる為の開口の接合部３９ａの接合は、本実施例では超音波で接合しているが他に熱やレーザーなどで接合してもよい。
【００４２】
そして充填する為の開口の接合部３９ａの接合が完了すると現像剤は封入され現像剤を収納した現像剤収納容器２６となるのである。
【００４３】
なお充填する為の注入口３９の位置や大きさは現像剤の充填装置やプロセスカートリッジＡの形状等に合わせて適宜配置すればよい。
【００４４】
（現像剤収納容器の排出部構成）
図３、図８に示す様に現像剤収納容器２６は内部の現像剤を排出するための複数の開口３５ａ、および複数の開口３５ａを形成するための連結部３５ｂからなる現像剤排出部３５を有している。図８では、排出部３５は、長手方向Ｆに長辺を有し、長手方向と交差する開封方向に短辺を有する長方形の形状になっている。そして、排出部３５は、封止部材１９により、排出部３５の周囲を接合部２２で連続して取り囲み開封可能に接合し現像剤収納容器２６に収納する現像剤を封止している。
【００４５】
（現像剤収納容器の接合部構成）
図８に示すように、接合部２２は長い方向（方向Ｆまたは長辺方向）に２本の長辺部、短い方向（方向Ｅじまたは短辺方向）に２本の短辺部とで囲んだ「ロの字」形状になっている。長辺部と短辺部とが重なる部分（以下、境界領域という）は、連続して形成され、全体として閉じた領域２２ｉになっている。本実施例では、長辺部と短辺部で形成される「ロの字」形状の各境界領域が各角部になる。そして、接合部が形成されている面の４本の接合部の境界領域（または角部）から開口から離れる方向に延伸させた突起部２２ｇ、２２ｈとによって構成される。「ロの字」形状で連続して閉じた領域２２ｉを形成しているため排出部３５の封止を可能としている。
【００４６】
ここで、境界領域とは、図２２に示すように長辺部と短辺部と重なる部分２２ｗ２であり、角部２２ｗ２にも相当する。図２２では、長辺部と短辺部が重なる境界領域が４か所（２２ｗ１〜４）ある。境界領域２２ｗ２は、突起部がない状態を示している。一方、境界領域２２ｗ１は、本実施例のように長辺部から境界領域を経て延伸している突起部と短辺部から境界領域を経て延伸している突起部が設けられた状態を示している。また、変形例としては、短辺部の延長上に延伸している突起部だけの状態や長辺部の延長上に延伸している突起部だけの状態などがある。
【００４７】
本実施例では超音波で接合しているが他に熱やレーザーなどで接合してもよい。本実施例では、接合部は溶着で現像剤収納容器の一部が溶けた部分で形成されている。しかし、溶着で溶けた部分だけに限定されるものではなく、容器と封止部材とを接着する接着剤が接合部を形成していてもよい。
【００４８】
ここで長辺方向（方向Ｆ）に溶着された２本の接合部のうち先に開封されるものを第一の長辺接合部（以下、第一の接合部という）２２ａ、後に開封されるものを第二の長辺接合部（以下、第二の接合部という）２２ｂとする。本実施形態では、封止部材１９の表面に沿ってみた場合に、後述する返し部１９ｄ（又は被係合部１９ｂ）に近い側の接合部が第一の接合部２２ａである。また、開口を挟んで第一の接合部２２ａに対向する接合部が第二の接合部２２ｂである。また短い方向の接合部を短手接合部２２ｃとする。
【００４９】
開口の露出の進む開封方向との関係でいくと、本実施例では、開口の露出の進む開封方向に封止した開封方向の接合部が、短手接合部になる。一方、開封方向に対して垂直方向に封止した垂直方向の接合部が、長手接合部（長辺接合部）になる。そして、開封方向に対して上流側に設けられた第一の垂直方向の接合部が、第一の接合部になり、下流側に設けられた第二の垂直方向の接合部が、第二の接合部になる。
【００５０】
更に、短手接合部２２ｃと第一の接合部２２ａとの境界領域を超えて第一の接合部２２ａ側に境界領域から延伸させた突起部を第一の短手突起部２２ｇ１、２２ｇ２とする。また、短手接合部２２ｃを第二の接合部２２ｃ側に境界領域から延伸させた突起部を第二の短手突起部２２ｈ１、２２ｈ２する。さらに、第一の接合部２２ａを延伸させた突起部を長手突起部２２ｇ３、２２ｇ４、２２ｈ３、２２ｈ４とする。
【００５１】
本実施例において開封方向は方向Ｅである。開封方向は次のように定義する。封止部材１９を移動させて開封を行う場合に、開口３５ａを挟んだ第一の接合部２２ａと第二の接合部２２ｂとでは、第一の接合部２２ａが先に開封（剥離）される。このように、先に開封される第一の接合部２２ａから第二の接合部２２ｂに向かう方向を開封方向Ｅとする。
【００５２】
なお現像剤収納容器２６から封止部材１９をＥ方向に開封する時（剥離する時）に、微視的に見ると第一の接合部２２ａや第二の接合部２２ｂの中においても開封力による現像剤袋１６の変形により矢印Ｆ方向にも剥離が進む場合がある。しかしながら、本実施例における開封方向は、このような微視的な開封の方向を指すものではない。
【００５３】
（現像剤収納容器と枠体の固定）
図３、図４に示す様に現像剤収納容器２６は固定部１６ｄにより第一の枠体１７、第二の枠体１８の内部に固定される。
【００５４】
固定部は、後述する封止部材１９を現像剤収納容器２６から開封する時に力を受ける現像剤収納容器２６の固定部１６ｄを設けている。複数の開口３５ａが配置されている方向Ｆと平行に、固定部１６ｄは複数設けられている。なお固定部１６ｄはこのように複数個設けられる以外に方向Ｆと平行に長いひとつのものでも良い。
【００５５】
また、固定部１６ｄの位置は現像剤収納容器２６の開口３５ａの近傍に設けられ、枠体の固定部１８ａに固定されている。
【００５６】
固定部１６ｄは現像剤収納容器２６の開封時の為に必要な固定部所であり、その作用や配置に関しては開封の説明で後述する。
【００５７】
（現像剤収納容器と枠体の固定方法）
現像剤収納容器２６の固定部１６ｄの固定方法として、現像剤収納容器２６の穴に、第二の枠体１８のボスを通し、ボスをつぶす超音波カシメによる固定を用いている。図９（ａ）で示すように固定前には第二の枠体１８の固定部１８ａは円柱のボス形状をしており、現像剤収納容器２６の固定部１６ｄは穴が開いている。そして組み立て工程を次に示す。
【００５８】
まず第二の枠体１８の固定部１８ａの凸形状部に、現像剤収納容器２６の固定部１６ｄの穴に通す（図９（ｂ））。
【００５９】
そして第二の枠体１８の固定部１８ａの先端を超音波カシメの工具３４で溶かす（（図９（ｃ））。
【００６０】
そして現像剤収納容器２６の固定部１６ｄの穴より大きくなるように、第二の枠体１８の固定部１８ａの先端を変形させることで現像剤収納容器２６を第二の枠体１８に固定している（図９ｄ）。
【００６１】
＜封止部材の構成＞
図３、図４に示す様に、封止部材１９は、プロセスカートリッジＡの使用前に現像剤収納容器２６の排出部３５を覆い現像剤収納容器２６内の現像剤を封止している。封止部材１９は、移動されることによって開口３５ａを露出させるものである。封止部材１９の構成は、現像剤収納容器２６の排出部３５を覆う封止部１９ａと、後述する開封部材２０と固定される被係合部１９ｂと、封止部１９ａと被係合部１９ｂを連結している封止部材連結部１９ｃを有しているシート状のものである。
【００６２】
（封止部材の封止部）
封止部１９ａは、封止部材１９が、現像剤収納容器２６の複数の開口３５ａと、連結部３５ｂを封止する領域を指している。封止部１９ａにより、プロセスカートリッジＡの使用時前までは現像剤が現像剤収納容器２６内部から漏れないようにしている。
【００６３】
（封止部材の係合部）
封止部材１９は、開封方向Ｅの一端側に自由端部を有しており、当該自由端部に封止部材を移動させるための開封部材に係合される被係合部１９ｂが設けられる。被係合部１９ｂには、封止部材を移動させて開口を露出させるための開封部材が係合される。開封部材は、画像形成装置本体Ｂからの駆動を受けて開封を自動的に行うようなものでもよい。または、ユーザーが開封部材を把持して移動させることで開封を行うようなものでもよい。本実施例では開封部材２０は枠体に設けられた回転軸であり、開封部材２０に係合された封止部材１９が引っ張られる事で現像剤を収納した現像剤収納容器２６は開封される。
【００６４】
（封止部材の封止部材連結部）
接合部２２と封止部材係合部１９ｂとの間を連結している部分が封止部材連結部１９ｃである。封止部材連結部１９ｃは開封部材２０からの力を受けて接合部２２を引き剥がすように力を伝達する部分である。
【００６５】
（封止部材連結部の折り返し）
ここで図１０を用いて開封される瞬間において第一の接合部２２ａと第二の接合部２２ｂとで形成された面Ｎ１とする。そして、面Ｎ１に対して垂直で且つ第一の接合部２２ａを通る面Ｎ２とする。ここで開封部材２０は、第一の接合部２２ａを通る面Ｎ２よりも第二の接合部２２ｂ側に配置されている。言い換えると封止部材１９は、シート状である封止部材１９の表面に沿って見たときに、接合部２２と開封部材２０との被係合部１９ｂとの間の部分（連結部１９ｃ）で折り返されている返し部１９ｄを有しているのである。ここで封止部材１９の返しの角度Ｑは９０度以下が好ましい。折り返し角度Ｑは、現像剤収納容器２６の接合部２２の面と封止部材１９の引っ張られる方向Ｄに沿った面の挟角Ｑである。
【００６６】
（封止部材の固定）
また封止部材１９と開封部材２０の固定は、本実施例において、固定部１６ｄと同様の超音波カシメで固定している。超音波カシメ以外に固定部１６ｄの手段と同様に熱溶着、超音波溶着、接着、枠体間への挟み込み、穴と凸による引っ掛け等でも良い。
【００６７】
（封止部材の易開封性を有する部分）
次に、接合部２２の剥離力を所望の値にする方法について説明をする。本実施の形態では前記剥離力を所望の値（ここでは、トナー封止性を保てる範囲内でできるだけ小さい力）にするために、主に２つの方法をとっている。
【００６８】
１つ目は、封止部材１９に易開封を可能とするシーラント層を持つラミネート材を適用している。そして現像剤収納容器２６の素材には前記シーラント層と溶着可能で可撓性のあるシート材質（例えば、ポリエチレンやポリプロピレン）を適用することで該接合部において易開封を可能とする方法である。シーラント層の処方及び貼り合わせる材質の組み合わせを変えることにより剥離力を所望の条件に合わせて調整させることが可能である。本実施例においてはＪＩＳ−Ｚ０２３８の密封軟包装袋の試験において剥離強さが３Ｎ／１５ｍｍ程度のものを用いている。
【００６９】
２つ目は、図４、７に示すように現像剤収納容器２６の排出部３５を開封が進む方向（図中矢印Ｅ）に対して折り返された状態にする方法である。例えば図４の状態で開封部材２０を回転（図中矢印Ｃ）させ封止部材１９を開封部材２０で引っ張られる方向（図中矢印Ｄ）に引っ張る。このようにすることで、現像剤収納容器２６と封止部材１９は図１０に示すような現像剤収納容器２６の接合部２２の面と封止部材１９の引っ張られる方向Ｄに沿った面の挟角Ｑが９０度以下の傾斜剥離位置関係になる。従来傾斜剥離にすることにより両者の引き剥がしに必要な剥離力を低減できることが知られている。従って、前述したように封止部材１９を開封が進む方向（図中矢印Ｅ）に対して折り返された状態にすることで接合部２２部分の封止部材１９と現像剤袋１６が傾斜剥離の位置関係となり前記剥離力を低減するように調整することができる。
【００７０】
＜開封部材の構成＞
開封部材２０は封止部材１９に力を与えて封止部材１９を移動させ現像剤収納容器２６から引き剥がす目的のものである。開封部材２０は、軸形状で両端を第二の枠体１８に回転可能に支持されている支持部（不図示）と、封止部材１９の被係合部１９ｂを固定する係合部２０ｂと、を有している。本実施例では開封部材２０は四角い軸形状で、その四角い軸の一面に封止部材１９の被係合部１９ｂを係合部２０ｂで係合している。
【００７１】
＜現像剤収納袋の開封概要＞
次に現像剤収納容器３０の開封について図５、図１１を用いて述べる。
【００７２】
開封のため開封部材２０が封止部材１９を引っ張る力を与える力点部２０ａ（図５（ｂ））と、引っ張られる現像剤収納容器３０を固定する枠体の固定部１８ａを現像剤収納ユニット（現像装置）３８は有している。
【００７３】
力点部２０ａとは開封の瞬間に封止部材１９と開封部材２０の接している部分の最も接合部２２に近い部分である。図５（ｂ）では開封部材２０の角部２０ｃが力点部２０ａである。また第二の枠体１８の固定部１８ａは開封時の力による現像剤収納容器３０の移動を抑制する固定部１８ｃを有している。また接合部２２から本実施例では枠体の固定部１８ａと現像剤収納容器３０の固定部１６ｄは超音波カシメにより接合されており、図５（ｂ）（ｃ）、図１１（ａ）で示す様に固定部１８ａの超音波カシメ部分のうち接合部２２に近い部分が固定部１８ｃとなる。
【００７４】
まず図４で示すように開封部材２０は不図示の本体からの駆動手段により駆動力が伝達され矢印Ｃの方向に回転する。
【００７５】
そして開封部材２０の回転が進むことで封止部材１９が引っ張られて第一の接合部２２ａの開封が始まる直前の状態を図５（ｂ）、図１２に示す。回転に伴い開封部材２０に被係合部１９ｂで固定された封止部材１９は四角い開封部材２０の角部２０ｃ（力点部２０ａ）により矢印Ｄの方向に引っ張られる。
【００７６】
封止部材１９が引っ張られると接合部２２を介して現像剤収納容器３０が引っ張られる。すると現像剤収納容器３０は固定部１６ｄに力が加わり固定部１８ｃによって固定部１８ｃから力点部２０ａに向けて現像剤収納容器３０は引っ張られる。すると開封部材２０の回転軸に垂直な断面において、第一の接合部２２ａは力部２０ａと固定部１８ｃを結んだ線上に近づくように動く。このとき、矢印Ｄの方向において、開封部材２０の回転軸に近い方から、開口３５ａ、第一の接合部２２ａ、返し部１９ｄ、固定部１８ｃの順に配置されている（図５（ｂ））。そして封止部材１９が第一の接合部２２ａと被係合部１９ｂの間で折り返されているため第一の接合部２２ａの部分に矢印Ｄの方向に傾斜剥離するように力がかかる。そして第一の接合部２２ａの剥離が行われて排出部３５の開封が始まる。
【００７７】
また角部２０ｃと共に力点部２０ａも矢印Ｃの方向に移動し、角部２０ｄと封止部材１９が接すると角部２０ｃから角部２０ｄへ力点部は移動する。ここで図５（ｂ）が力点部２０ａが角部（ｃ）の状態を示し、図５（ｃ）が更に開封部材２０の回転が進み角部２０ｄへ力点部が移った状態を示す。
【００７８】
図５（ｃ）、図１３に示すように開封部材２０の回転が進むに連れて開封が進むと共に返し部１９ｄも矢印Ｅ方向に進む。そして更に開封が進み開口３５ａが露出する。開口３５ａが露出した後に第二の接合部２２ｂの剥離に入る状態を図１１（ａ）に示す。この時も第一の接合部２２ａの剥離と同様に封止部材１９は力点部２０ａの方へ引っ張り、現像剤収納容器３０は固定部１８ｃの方向（矢印Ｈ）に踏ん張ろうとする。すると開封部材２０の回転軸に垂直な断面において、第二の接合部２２ｂは力部２０ａと固定部１８ｃを結んだ線上に近づくように動く。そして第二の接合部２２ｂの部分に矢印Ｄの方向の力がかかり第二の接合部が剥離する。そして第二の接合部２２ｂが剥がされて開封が完了する（図１１（ｂ）、図１４）。そして現像剤収納容器３０内部の現像剤が排出部３５の開口３５ａを通り矢印Ｉの方向に排出される。
【００７９】
このように開封部材２０の回転により封止部材１９が開封部材２０に巻きとられて接合部２２を開封するのである。封止部材１９は回転で巻き取られるため開封部材２０の移動に要するスペースは開封部材２０の回転スペースがあれば良く、回転以外の移動により封止部材１９を移動させる場合に比べ省スペース化する事が出来る。
【００８０】
また封止部材１９が返し部１９ｄを設けることで接合部２２をせん断剥離せずに傾斜剥離とすることができ確実に開封できる。
【００８１】
また複数の開口３５ａが並んでいる方向Ｆと垂直方向の封止部材１９の一端側に封止部材１９を開封するための開封部材２０に係合される被係合部１９ｂが設けられることで確実に封止部材１９を係合して開封することができる。
【００８２】
また枠体に固定部１８ｃを設けて、現像剤収納容器２６を開封時に支持することにより可撓性を有し変形可能な現像剤収納容器２６でも確実に開封可能となる。
【００８３】
また開封時の現像剤の排出に関して、前述のように開封時に力点部２０ａと固定部１８ｃで結んだ線上に接合部２２が動く（図５（ａ）→図５（ｂ）→図５（ｃ）→図１１（ａ））。この動きにより開口３５ａ周辺の現像剤が動かされ現像剤の凝集を崩す事が出来る。
【００８４】
（開封に関係する固定部の配置関係）
図４、図１２に示すように第一の接合部２２ａを確実に剥がすためには第一の接合部２２ａと固定部１８ｃの間には次のような配置の関係が求められる。開封時には固定部１８ｃに対して封止部材１９を矢印Ｄの方向に開封部材２０が引っ張る。この時、開封部材２０による封止部材１９の移動方向Ｄにおいて、固定部１８ｃは開口３５ａの上流側に設けられている。そのため矢印Ｈの方向に固定部１８ｃの力が加わる。よって開封の力を加えた時に固定部１８ｃと開封部材２０の間で矢印Ｈと矢印Ｄの方向に引っ張られて第一の接合部２２ａに力を加え矢印Ｅの方向に開封が進む。このように封止部材１９の移動方向Ｄにおいて上流に固定部１８ｃを設けていなければ開封部材２０が引っ張られた方向に現像剤収納容器２６全体が引っ張られてしまい第一の接合部２２ａに力を加えることができず開封しにくい。
【００８５】
このように封止部材１９の移動方向Ｄにおいて上流に固定部１８ｃを設けていることにより確実な開封が可能となるのである。
【００８６】
＜押圧部材と構成概要について＞
図１５に示すように押圧部材２１は軸部２１ａと、軸部２１ａに固定された押圧シート２１ｂを備えており、第一の枠体１７と第二の枠体１８の内部に回転可能に設けられている。
【００８７】
まず軸部２１ａは開封部材２０と同一部品で機能させている（２１ａ＝２０）。よって前述のように不図示の画像形成装置Ｂ本体からの駆動手段により駆動力が伝達され矢印Ｃの方向に押圧部材２１（２１＝２０）が回転する。
【００８８】
次に押圧シート２１ｂは断面が四角い軸部２１ａの一面に固定されて、軸部２１ａと共に回転する。なお押圧シート２１ｂの先端は軸部２１ａの外接円より外側に突出している。ここで本実施例では軸部２１ａの異なる面に封止部材１９と押圧シート２１ｂを固定しているが、軸部２１ａの同じ面に封止部材１９と押圧シート２１ｂを固定しても良い。
【００８９】
また図１５、図１６に示すように押圧シート２１ｂは現像剤を攪拌し、現像ローラ１３や現像剤供給２３の方へ搬送する機能も兼ねている。
【００９０】
＜現像剤収納容器からの現像剤排出概要について＞
（開封前から開封時の排出概要）
まず開封前から開封開始時の現像剤の排出に関して前述の図５、図１１に示すように封止部材１９は力点部２０ａの方へ引っ張り（矢印Ｄ）、現像剤収納容器３０は枠体の固定部１８ｃで支えられる。そのため、開封時は力点部２０ａと、枠体の固定部１８ｃと、接合部２２の剥離する場所との３か所は、開封部材２０の回転軸に垂直な断面において直線状に並ぶ方向に移動する。このように開封部材２０が封止部材１９に力を与え開封動作を行う前の時と、開封動作を開始し前記第一の接合部２２ａでの接合が開封される時とで、開口３５ａの位置が変化することにより開口３５ａ近傍の現像剤滞留を防ぐことができて排出性が良い。
【００９１】
（開封後の排出概要  押圧時）
開封後は図１１（ｂ）に示すように前述の現像剤収納容器３０から封止部材１９を開封すると、開口３５ａが現像剤収納容器３０の下方に開くように配置してある。このため、重力の作用と開封時の現像剤収納容器３０の振動等により開口３５ａ付近の現像剤が排出される。
【００９２】
開封後更に開封部材２０の回転が進むと、開封部材２０に固定された現像剤収納容器３０を押す押圧シート２１ｂも回転し、図１４で示すように現像剤収納容器３０により開封部材２０に巻き着く。ここで図１５に示すように押圧シート２１ｂは弾性を有しているため、もとの形状に回復しようとするために現像剤収納容器３０を矢印Ｊ方向に押す。この時、現像剤収納容器３０は押圧シート２１ｂにより押され収納するトナーを介して第二の枠体１８に押さえつけられ現像剤収納容器３０全体が変形する。また現像剤収納容器３０は押圧シート２１ｂにより押され内容積が少なくなる。このように現像剤収納容器３０の容積減と全体形状の変化により、現像剤収納容器３０の内部の現像剤は撹拌され、それにより開口３５ａから現像剤が排出されやすくなる。この時、現像剤収納容器３０の開口３５ａ以外は閉じており開口３５ａ以外に現像剤の逃げ道が無いため開口３５ａからの排出性が高い。以上のような排出作用により矢印Ｉの方向に現像剤を排出しやすい。
【００９３】
なお、現像剤収納容器３０は少なくとも一部が第二の枠体１８に当接して押さえつけられれば現像剤収納容器３０は変形できる。
【００９４】
また現像ローラ１３の回転軸方向と複数の開口３５ａの並ぶ方向Ｆを揃えることで、現像剤を排出時に現像ローラ１３の長手方向全体に現像剤が偏りなく供給され易くすることができる。
【００９５】
また現像装置３８が画像形成装置Ｂに装着された際に、開口３５ａが重力方向に開くように設けられることで現像剤の排出性を向上させる事ができる。
【００９６】
また枠体１７、１８内部に設けられて押圧部材２１が現像剤収納容器３０を第二の枠体１８に押し付けるように押圧することで現像剤の排出性を向上させる事が出来る。
【００９７】
（開封後の排出概要  現像剤収納容器形状回復）
そして、図１６で示すように更に開封部材２０の回転が進み押圧シート２１ｂが現像剤収納容器３０から離れる。この時、現像剤収納容器３０は可撓性を有しているため収納する現像剤の重さで押圧される前の状態に回復しようとする（矢印Ｋ）。そして、また押圧シート２１ｂが回転し、図１５で示すように現像剤収納容器３０を第二の枠体１８に押し現像剤収納容器３０が変形することで開口３５ａ付近以外の現像剤も動かされ開口３５ａより排出される。
【００９８】
（開封後の排出概要  押圧／回復の繰り返し）
開封直後の現像剤が現像剤収納容器３０内部に多くある場合は押圧シート２１ｂおよび開封部材２０の現像剤収納容器３０への侵入量が繰り返し変化し、第二の枠体１８に押しつけるように現像剤収納容器３０を変形させる。この押圧部材２１の押圧による現像剤収納容器３０の収縮と、現像剤収納容器３０内部の現像剤の重さと現像剤収納容器３０可撓性による回復を繰り返す。また前記作用により現像剤収納容器３０自体が動くため現像剤収納容器３０が振動し、この振動によっても現像剤収納容器３０内部の現像剤が開口３５ａから排出される。また押圧部材２１は回転するため繰り返し現像剤収納容器３０を押圧させることができる。
【００９９】
＜組み立て時の現像剤収納容器の変形の影響＞
現像剤収納部材３７は、シート状の素材を真空成形等により製造したものを使用している。そのため、可撓性を有することを利用して、充填のための注入口３９を容易に形成でき、現像剤収納容器２６を枠体の形状に倣わせて組むことができる。そのため、現像剤収納容器２６の製造工程で、現像剤収納容器２６を変形させて組み立てる工程が発生しうる。
【０１００】
ここでは、前述した現像剤収納部材３７に現像剤を充填する充填工程における現像剤収納容器の変形の影響を図６、図１７および図１８を用いて述べる。ここで、図１７は注入口３９形成時における成形された現像剤収納部材３７の説明図、図１８は本発明の実施形態でない場合の注入口３９形成時における成形された現像剤収納部材３７の説明図である。
【０１０１】
図１７に示すように、現像剤収納部材３７は、収納した現像剤を排出するために排出部３５を備え、排出部３５を覆うように、封止部材１９が貼り付けられている。成形された現像剤収納部材３７は、開口を有する面３４ｆ、開口を含まない面３４ｅ、および現像剤収納部材３７を容器として形作るための側面３４ｇを有する。
【０１０２】
現像剤収納部材３７に、注入口３９を形成すると、図６に示すように、注入口３９の断面形状を変化させる必要があり、それによって現像剤収納部材３７の断面の形状を決めている側面３４ｇの形状も変形する。側面３４ｇの形状が変形することで、側面３４ｇに面した他の面３４ｅ、３４ｆも変形する。そして、開口を含まない面３４ｅ、開口を有する面３４ｆ、側面３４ｇのいずれも変形し、それぞれの面に、変曲部４０が発生する。
【０１０３】
ここで本発明を適用せず、組み立て時に、接合部２２ｉに予期せぬ部分剥離が発生した例について図１８を用いて述べる。接合部２２は、「ロの字」形状で連続して形成された閉じた領域２２ｉのみ設けられている。製造工程において、封止部材１９が貼り付けられた開口を有する面３４ｆが変形すると、前述した「ロの字」形状で形成された排出部３５を封止している接合部の閉じた領域２２ｉも変形し、開口を有する面３４ｆで変曲部４０を含む凹凸形状の変形が発生する。この変形により、排出部３５を封止している接合部２２ｉの一部に意図せぬ剥離力が掛かり、部分剥離４１が起こりうる。
【０１０４】
本実施例では、図１７に示すように、「ロの字」形状で形成された接合部の閉じた領域２２ｉの接合部を延伸させた第一の短手突起部２２ｇ１、２２ｇ２、第二の短手突起部２２ｈ１、２２ｈ２を設けている。また、接合部を延伸させた長手突起部２２ｇ３、２２ｇ４、２２ｈ３、２２ｈ４を設けている。接合部２２と開口を有する面３４ｆの貼り合わせ強度を上げることで、開口を有する面３４ｆの変形を抑えることができる。また、開口を有する面３４ｆで変形が発生しても、突起部２２ｇ、２２ｈを設けているため、「ロの字」形状で形成された接合部２２ｉに変形による剥離力が直接掛からないように抑えることができる。
【０１０５】
また、本実施例においては、現像剤収納容器２６の長い方向の片側端部に、注入口３９を形成したが、短い方向の端部に注入口３９を形成しても同様である。また、充填工程のみだけでなく、他の組み立て等においても、現像剤収納部材３７の可撓性を利用して、現像剤収納容器２６を変形させる場合は、同様の効果を得ることができる。更に、本実施例では、可撓性を有する可撓性容器を現像剤収納容器２６として用いた場合の説明を行ったが、シートを貼り合わせて構成された現像袋を用いても、現像袋を変形させて組み立てる工程がある場合は、同様の効果を得ることができる。
【０１０６】
＜接合部の突起部の開封性への影響＞
次に接合部の突起部２２ｇ、２２ｈを設けた現像剤収納容器２６の開封について図８を用いて述べる。
【０１０７】
前述したように、開封部材２０が回転することで、封止部材１９が引っ張られて、現像剤収納容器２６の開封を行う。開封部材２０の回転が進むことで封止部材１９が引っ張られて接合部２２の開封が始まるが、本実施例では、第一の接合部２２ａより先に開封される位置に、第一の短手突起部２２ｇ１、２２ｇ２を設けている。このため、まず第一の短手突起部から開封が始まる。開封により封止部材１９が引っ張られる力（矢印Ｄ）に対して、第一の接合部２２ａの長い方向の幅よりも、第一の短手突起部２２ｇ１、２２ｇ２の幅の方が小さいため、引っ張られる力（矢印Ｄ）を集中して受けることができる。そのため、より確実に開封を開始することができ、前述した構成も同様に有していることから、確実に開封を完了することができる。このように、開封を行う接合部に突起部２２ｇ、２２ｈを設けた構成で、従来より確実に開封を開始することができ、開封性と可撓性容器の変形による封止部材の剥離防止の効果と両立できる。
【０１０８】
本実施形態によれば、製造時における可撓性容器の変形による封止部材の開封防止特性を向上させることができる。また、製造時だけでなく物流時の衝撃に対しても封止部材の開封防止特性を向上させることができる。
【実施例２】
【０１０９】
実施例２として、突起部２２ｇ、２２ｈの別の実施形態について図１９を用いて述べる。実施例１では、「ロの字」形状の長辺方向（方向Ｆ）と短辺方向（方向Ｅ）の４本の接合部から境界領域を経て延伸している突起部について述べた。本実施例では図１９に示すように、接合部２２ｉの長辺方向および短辺方向と異なる方向に延伸し、かつ接合部の形成されている面で開口から離れる方向に延伸している突起部２２ｇ、２２ｈを設けている。突起部は、「ロの字」形状の接合部の角部から開口から離れる方向に延伸している。衝撃の受ける方向によって、延伸させる方向は適宜選択できる。本実施例では、長辺方向および短辺方向とから４５°ずれている方向に延伸している突起部を示している。開封方向が短辺方向になる場合は、短辺方向から１０°から３０°程度ずれた方向に延伸しているのが好ましい。これは長辺方向からの変形に対しても突起部でまずその変形を受けることができるためである。
【０１１０】
このような構成にしても、突起部２２ｇ１、２２ｇ２、２２ｈ１、２２ｈ２を設けたことで、現像剤収納容器２６を変形させるような場合が発生しても、容器と接合部２２ｉの貼り合わせ強度を上げ、開口を有する面３４ｆの変形を抑えることができる。また、「ロの字」形状の接合部２２ｉに変形による剥離力が直接掛かるのを抑えることができる。
【０１１１】
また、開封に関しても、実施例１と同様の構成をとるため、確実に開封を行うことができ、可撓性容器の変形による封止部材の剥離防止の効果と両立できる。
【０１１２】
また、「ロの字」形状で形成された接合部２２ｉの４つの角部に接合部を延伸させた突起部について説明したが、例えば、充填工程のみで現像剤収納容器２６の変形が発生するのであれば、現像剤を充填する注入口３９側のみに、突起部を設けても構わない。例えば、図２０に示すような突起部２２ｇ１、２２ｇ３、２２ｈ１、２２ｈ３を設けるような場合である。
【０１１３】
つまり、現像剤収納ユニット等であれば、可撓性容器の開口が形成された面のうち現像剤を充填し封止した充填開口封止部が設けられている充填開口封止部側に、突起部を設けて用いる場合もある。この場合、突起部は、開口と充填開口封止部との間に設けられている。
【０１１４】
また、物流等での衝撃で剥がれやすい部分は、開封時に最初に剥がれる部分であり、例えば、境界領域から開封方向の上流側に向かって延伸している突起部だけを設ける場合でも効果がある。
【実施例３】
【０１１５】
実施例３として、突起部２２ｇ、２２ｈを用いない別の実施形態を述べる。実施例１では、「ロの字」形状の長辺方向（方向Ｆ）と短辺方向（方向Ｅ）の４本の接合部から延伸させた突起部について述べた。本実施例では、図２１に示すように、「ロの字」形状の中央接合部２２ｉに対して連続していない位置に孤立接合部２３ａ、２３ｂ、２３ｃ、２３ｄを設けている。実施例３では、孤立接合部は４箇所あるが、孤立接合部は４箇所である必要はなく、１箇所であってもかまわない。ただし、複数設けるほうが効果的である。現像剤収納容器２６の変形が発生する部分について、開口を有する面３４ｆの変形を抑えることができ、「ロの字」形状の中央接合部２２ｉに変形による剥離力が直接掛かるのを抑えることができる。
【０１１６】
本実施例では、孤立接合部は、「ロの字」形状の接合部２２ｉの角部から一番近い位置に設けられている。つまり、孤立接合部は、中央接合部の中で角部からの距離が一番短い位置に設けられている。また、孤立接合部は、中央接合部２２ｉの外側に形成されている。また、図２１からも分かるように、孤立接合部は、開口の露出の進む開封方向において接合部の中で最端に位置している。同様に、開封方向に対して垂直である垂直方向においても接合部の中で最端に位置している。
【０１１７】
さらに、他の実施例と同様に、可撓性容器の開口が形成された面のうち現像剤を充填し封止した充填開口封止部が設けられている充填開口封止部側に、孤立接合部を設けて用いる場合もある。この場合、孤立接合部は、中央接合部と充填開口封止部との間に設けられている。
【０１１８】
本実施形態によれば、製造時における可撓性容器の変形による封止部材の開封防止特性を向上させることができる。また、製造時だけでなく物流時の衝撃に対しても封止部材の開封防止特性を向上させることができる。
【０１１９】
（その他）
これまでの説明では、開口を封止している領域が「ロの字」形状の接合部であったため、「ロの字」形状の接合部２２ｉに変形による剥離力が直接掛かるのを抑えることを効果として説明している。しかし、「ロの字」形状に限定されるものではなく、連続して閉じた領域２２ｉで現像剤の排出を封止できている接合部であればよい。つまり、変形による剥離力が直接掛るのを抑える突起部や第二の接合部が設けられていればよく、当然「ロの字」形状以外のものでもよい。例えば、三角形状、楕円形状、菱形形状などがある。
【０１２０】
また、実施例１から３では、第一の接合部や第二の接合部が直線状であるが、蛇行している線、直線の一部が蛇行した線、ジグザグ状の線などの接合部でもよい。開口が円形の場合にその縁に沿った半円状の第一の接合部や第二の接合部でもよい。
【０１２１】
さらに、実施例１から３では、組立時の可撓性容器の変形から剥離の観点から説明している。一方で、物流時の衝撃に対して封止部材防止特性を向上させることは望まれている。物流時の衝撃に対する観点からは、可撓性容器だけでなく、カートリッジに通常用いられるプラスチック等で製造されている可撓性でない容器に突起部や孤立接合部を設けても効果は得られる。よって、通常の容器に突起部や孤立接合部を設けた現像剤容器やその現像剤容器を収納した現像剤収納ユニットやプロセスカートリッジ等にも応用できる。さらに、現像剤容器が構成の一部となっている現像剤収納ユニットやプロセスカートリッジ等にも応用できる。
【符号の説明】
【０１２２】
１７  第一の（現像）枠体
１８  第二の（現像）枠体
１９  封止部材
１９ａ  封止部
１９ｂ  被係合部
１９ｄ  返し部
２２  接合部
２２ａ  第一の接合部
２２ｂ  第二の接合部
２２Ｃ  短手接合部
２２ｇ、２２ｈ  突起部
２２ｇ１、２２ｇ２  第一の短手突起部
２２ｈ１、２２ｈ２  第二の短手突起部
２２ｇ３、２２ｇ４、２２ｈ３、２２ｈ４  長手突起部
２３ａ、２３ｂ、２３ｃ、２３ｄ  第二の接合部
２５  現像剤収納ユニット
２６  現像剤を収納した現像剤収納容器
３０  開封部材を有した現像剤収納容器
３１  現像剤収納枠体
３３  接合部
３４  現像剤収納部材
３４ｅ  開口を含まない面
３４ｆ  開口を有する面
３４ｇ  側面
３５ａ  開口
３９  注入口
【図１】
2015108683.tif 000003
【図２】
2015108683.tif 000004
【図３】
2015108683.tif 000005
【図４】
2015108683.tif 000006
【図５】
2015108683.tif 000007
【図６】
2015108683.tif 000008
【図７】
2015108683.tif 000009
【図８】
2015108683.tif 000010
【図９】
2015108683.tif 000011
【図１０】
2015108683.tif 000012
【図１１】
2015108683.tif 000013
【図１２】
2015108683.tif 000014
【図１３】
2015108683.tif 000015
【図１４】
2015108683.tif 000016
【図１５】
2015108683.tif 000017
【図１６】
2015108683.tif 000018
【図１７】
2015108683.tif 000019
【図１８】
2015108683.tif 000020
【図１９】
2015108683.tif 000021
【図２０】
2015108683.tif 000022
【図２１】
2015108683.tif 000023
【図２２】
2015108683.tif 000024
【図２３】
2015108683.tif 000025